(57)【特許請求の範囲】
【請求項１】
洗浄ノズルが設けられた洗浄領域と、すすぎノズルが設けられたすすぎ領域とから成る洗浄室と、これら両領域に渡り前記洗浄室内に取り付けられ、食器類を収納したラックを移動自在に支持するラックレールと、前記ラックを移動させるための送り手段とを備えた食器洗浄装置において、
前記ラックレールは、前記ラックが摺動自在に載置されるレール面と、前記ラックの両側を規制する規制面とを有すると共に、前記洗浄領域とすすぎ領域の境界付近に位置する前記レール面に、所定範囲に渡って切欠部を形成したことを特徴とする食器洗浄装置。
【請求項２】
切欠部両端のレール面を、所定の傾斜角度で下方に折曲したことを特徴とする請求項１の食器洗浄装置。
【請求項３】
ラックレール端部に変形を阻止するための補強部材を設けたことを特徴とする請求項１又は請求項２の食器洗浄装置。
【発明の詳細な説明】
【０００１】
【発明の属する技術分野】
本発明は、食器類を収納したラックを、ラックレール上において順次移動させながら洗浄とすすぎを行う食器洗浄装置に関するものである。
【０００２】
【従来の技術】
従来よりこの種食器洗浄装置は、例えば実公昭５６−５４９２１号公報（Ａ４７Ｌ１５／４２）に示される如く、洗浄室内の洗浄領域に上下洗浄ノズルとすすぎ領域内に上下すすぎノズルとを配設すると共に、上下のノズル間にはこれら両領域に渡ってラックレール（支持桟）を取り付け、このラックレール上に食器類を収納したラックを移動自在に支持させている。
【０００３】
そして、送り機構によってラックを所定速度で移動させ、洗浄領域では上下洗浄ノズルから洗浄水を食器類に噴射し、その後、すすぎ領域において上下すすぎノズルからすすぎ水を食器類に噴射することにより、順次連続して洗浄とすすぎが行われるように構成されている。
【０００４】
図６に係る従来の食器洗浄装置１０１の洗浄室１０２内の斜視図を示している。この図において、１０３は洗浄室１０２の洗浄領域１０２Ｗ上部に架設された上洗浄ノズルであり、１０４は洗浄領域１０２Ｗに並設されたすすぎ領域１０２Ｒ上部に架設された上すすぎノズルである。
【０００５】
係る洗浄室１０２内両側には、洗浄領域１０２Ｗからすすぎ領域１０２Ｒに渡って一対のラックレール１０６が取り付けられている。このラックレール１０６は、図７及び図８に示す如く断面略Ｌ字状の長尺鋼板であり、水平なレール面１０７と垂直な規制面１０８を有している。また、レール面１０７の両端は傾斜しながら下方に折曲されており、規制面１０８は傾斜しながら外側に折曲されている。
【０００６】
係るラックレール１０６のレール面１０７上に、食器類Ｄを収納したラック１１１が移動自在に支持される。ラックレール１０６の内側には送り機構１１２が所定間隔で取り付けられており、この送り機構１１２がラック１１１に係合してラック１１１を所定速度でラックレール１０６上を移動させる。
【０００７】
そして、ラック１１１が洗浄領域１０２Ｗに位置する状態において、上洗浄ノズル１０３からは洗浄水が食器類Ｄに噴射され（図示しない下洗浄ノズルからも噴射される）、食器類Ｄは洗浄されると共に、その後移動されてラック１１１がすすぎ領域１０２Ｒに来た状態で上すすぎノズル１０４からはすすぎ水が食器類Ｄに噴射され（図示しない下すすぎノズルからも噴射される）、食器類Ｄのすすぎが順次行われるものであった。
【０００８】
【発明が解決しようとする課題】
しかしながら係る構成の場合、上洗浄ノズル１０３から噴射された洗浄水が、図６中矢印で示す如くラックレール１０６の主にレール面１０７に当たり、跳ね返ってすすぎ領域１０２Ｒに進んでいるラック１１１内の食器類Ｄにかかってしまう。そのため、食器類Ｄに洗剤が残り、仕上がりが悪くなる問題があった。
【０００９】
本発明は、係る従来の技術的課題を解決するために成されたものであり、洗剤残りの無い、良好な仕上がり状態が得られる食器洗浄装置を提供するものである。
【００１０】
【課題を解決するための手段】
本発明の食器洗浄装置は、洗浄ノズルが設けられた洗浄領域と、すすぎノズルが設けられたすすぎ領域とから成る洗浄室と、これら両領域に渡り洗浄室内に取り付けられ、食器類を収納したラックを移動自在に支持するラックレールと、ラックを移動させるための送り手段とを備えたものであって、ラックレールは、ラックが摺動自在に載置されるレール面と、ラックの両側を規制する規制面とを有すると共に、洗浄領域とすすぎ領域の境界付近に位置するレール面に、所定範囲に渡って切欠部を形成したものである。
【００１１】
本発明によれば、洗浄室の洗浄領域とすすぎ領域の境界付近に位置するラックレールのレール面に、所定範囲に渡って切欠部を形成したので、洗浄ノズルからすすぎ領域側に噴射された洗浄水はこの切欠部より下方にそのまま落下するようになる。従って、洗浄ノズルから噴射された洗浄水がラックレールのレール面に当たって跳ね返り、すすぎ領域に飛び込む不都合を防止若しくは著しく低減することができるようになり、食器類への洗剤残りを防止若しくは低減させて仕上がりを著しく向上させることができるようになるものである。特に、切欠部はレール面に形成され、規制面には形成されないので、切欠部の形成によるラックレールの強度低下も最小限に抑えられると共に、切欠部においてもラックの両側は規制面により規制することができる。
【００１２】
請求項２の発明の食器洗浄装置は、上記において切欠部両端のレール面を、所定の傾斜角度で下方に折曲したものである。
【００１３】
請求項２の発明によれば、上記に加えて切欠部両端のレール面を、所定の傾斜角度で下方に折曲したので、異なる寸法のラックを使用した場合などに、切欠部においてラック端部が多少落ち込んでも、折曲部分にて元の高さに案内されるようになる。従って、ラックレールのレール面に切欠部を形成したことによるラックの落下や引っかかり事故を未然に防止することができるようになるものである。
【００１４】
請求項３の発明の食器洗浄装置は、上記各発明においてラックレール端部に変形を阻止するための補強部材を設けたものである。
【００１５】
請求項３の発明によれば、上記各発明に加えてラックレール端部に変形を阻止するための補強部材を設けたので、切欠部の形成によって強度が低下しているラックレールを有効に補強することができる。従って、ラックの当接などによるラックレールの変形を防止し、円滑のラック移送を実現することができるようになるものである。
【００１６】
【発明の実施の形態】
次に、図面に基づき本発明の実施形態を詳述する。図１は本発明の食器洗浄装置ＤＷの縦断正面図、図２は食器洗浄装置ＤＷの平断面図、図３は食器洗浄装置ＤＷの洗浄室２内の斜視図である。
【００１７】
各図において、１は内部を洗浄室２と成し、両側壁３、４に相対向してラック５の入出用の開口６、７を形成した外装体であり、底壁８の後壁９側寄りを下方へ凹陥させて貯水タンク１０を形成すると共に、洗浄室２内下部の前後壁１１、９に、前記ラック５を開口６側より開口７側へ移動自在に支持するラックレール１２、１２が取り付けられている。
【００１８】
洗浄室２内は入口となる一方の開口６側が洗浄領域２Ｗ、出口となる他方の出口側がすすぎ領域２Ｒとされ、前記洗浄領域２Ｗ内の上下に前段の洗浄を行う一対の上下洗浄ノズル１３Ａ、１３Ｂが設けられると共に、すすぎ領域２Ｒ内の上下には終段のすすぎを行う一対の上下すすぎノズル１４Ａ、１４Ｂがそれぞれ設けられている。また、前記ラックレール１２、１２は上記洗浄領域２Ｗからすすぎ領域２Ｒまで渡って設けられている。
【００１９】
そして、上洗浄ノズル１３Ａ及び上すすぎノズル１４Ａは外装体１の天壁１５等に取り付けられ、その噴射口１６Ａ・・、１７Ａからは下方に洗浄水或いはすすぎ水を噴射すると共に、下洗浄ノズル１３Ｂ及び下すすぎノズル１４Ｂはラックレール１２、１２の直下に位置して取り付けられ、その噴射口１６Ｂ・・、１７Ｂからは上方に洗浄水或いはすすぎ水を噴射する構成とされている。
【００２０】
１８は前記貯水タンク１０内に貯留された洗浄水を吸込管１９などを介して吸引し、加圧して前記上下洗浄ノズル１３Ａ、１３Ｂにそれぞれ中空管２０、２１を介して供給するポンプ装置であり、電動機２２にて駆動される。
【００２１】
尚、上下すすぎノズル１４Ａ、１４Ｂには外装体１の外に別置きしたボイラーなど適宜の給水装置（図示せず）からこれも図示しない弁やパイプを介してすすぎ水を供給する。また、この下すすぎノズル１４Ｂの下方には前記貯水タンク１０上部に位置してすすぎ水受け２３が配設されている。このすすぎ水受け２３は上面開口の容器で、上下すすぎノズル１４Ａ、１４Ｂから噴射されたすすぎ水を受けて外部に排出するものであり、これによって、すすぎ水が貯水タンク１０内に流入することによる洗浄水の希釈を防止している。
【００２２】
２５は電動機２４にて駆動されるクランク機構２６などにて支軸２７を中心に反復円弧作動される送り機構であり、前記ラックレール１２、１２に載置された食器類Ｄなどの被洗浄物を収納せるラック５に順次係合することにより、入口用の開口６から出口用の開口７に略定速度で当該ラック５を順次移動させるものである。
【００２３】
次に、前記ラックレール１２、１２は相互に対象形状を呈しており、図４及び図５に示す如く何れも断面略Ｌ字状の長尺鋼板から構成され、水平なレール面３１と垂直な規制面３２を有している。また、レール面３１の両端は傾斜しながら下方に折曲されており、規制面３２は傾斜しながら外側に折曲されている。
【００２４】
更に、レール面３１には、洗浄室２の洗浄領域２Ｗとすすぎ領域２Ｒの丁度境界部或いはその付近となる位置において所定範囲の切欠部３３が形成されている。尚、切欠部３３は中心から等距離の反対側にも形成され、取付方向を不問としている。
【００２５】
この切欠部３３の両端のレール面３１は、所定の傾斜角度にて下方に折曲され、そこに傾斜面３４、３４が形成されている。更に、入口となる開口６側と出口となる開口７側（図示せず）のラックレール１２、１２の端部外側には補強部材３６、３６が前後壁１１、９とラックレール１２、１２間に渡って固定されている。これによって、ラックレール１２、１２の外側或いは内側への変形を阻止している。
【００２６】
また、ラックレール１２、１２の上側には、洗浄領域２Ｗに位置して洗浄スイッチ３７が取り付けられると共に、すすぎ領域２Ｒに位置してすすぎスイッチ３８が取り付けられている。
【００２７】
以上の構成で、食器類Ｄを洗浄する際には、ラック５内にそれらを収納した後、入口側となる開口６から図２の如く外装体１の洗浄室２内に挿入する。このとき、ラック５はラックレール１２、１２に当接するが、補強部材３６、３６にて補強されているので、特に、外側への拡開変形が防止され、ラック５の下面両側は円滑にラックレール１２、１２のレール面３１、３１上に摺動自在に載置されると共に、両側は規制面３２、３２にて規制される。
【００２８】
そして、ラック５は前述した如く以後送り機構２５により定速度で開口６側から開口７側に移動されるが、ラック５が洗浄領域２Ｗの洗浄スイッチ３７のところまで来ると、それが閉じられて前記ポンプ装置１８が駆動される。これによって、上下洗浄ノズル１３Ａ、１３Ｂの噴射口１６Ａ・・、１６Ｂ・・からは貯水タンク１０内の洗浄水が食器類Ｄに噴射され、移動されながら洗浄される。洗浄に使用された洗浄水は最終的に再び貯水タンク１０内に流入する。
【００２９】
送り機構２５によりラック５が更に移動してすすぎ領域２Ｒのすすぎスイッチ３８のところまで来ると、それが閉じられて前記弁が開放され、それによって、上下すすぎノズル１４Ａ、１４Ｂの噴射口１７Ａ・・、１７Ｂ・・からは温水から成るすすぎ水が食器類Ｄに噴射され、移動されながら洗剤をすすがれる。すすぎに使用されたすすぎ水は、すすぎ水受け２３内に流入し、外部に排出される。
【００３０】
そして、最終的にラック５は出口側の開口７から外装体１外に送り出される。係る洗浄とすすぎは所定間隔で挿入された複数のラック５に対して連続的に行われるものであるが、本発明では洗浄室２の洗浄領域２Ｗとすすぎ領域２Ｒの境界付近に位置するラックレール１２、１２のレール面３１に、所定範囲に渡って切欠部３３を形成したので、特に上洗浄ノズル１３Ａからすすぎ領域側に噴射された洗浄水は、図３中矢印で示す如くこの切欠部３３より下方の貯水タンク１０内にそのまま落下するようになる。
【００３１】
従って、上洗浄ノズル１３Ａから噴射された洗浄水がラックレール１２の特にレール面３１に当たって跳ね返り、すすぎ領域２Ｒ側に飛び込む不都合を防止若しくは著しく低減することができるようになり、食器Ｄ類への洗剤残りを防止若しくは低減させて仕上がりを著しく向上させることができるようになる。
【００３２】
また、切欠部３３両端のラックレール１２のレール面３１には、所定の傾斜角度で下方に折曲された傾斜面３４、３４を形成したので、異なる寸法のラックを使用した場合などに、切欠部３３においてラック端部が多少落ち込んでも、傾斜面３４にて元の高さに案内されるようになる。従って、ラックレール１２に切欠部３３を形成したことによるラック５の落下や引っかかり事故を未然に防止することができるようになる。
【００３３】
【発明の効果】
以上詳述した如く本発明によれば、洗浄室の洗浄領域とすすぎ領域の境界付近に位置するラックレールのレール面に、所定範囲に渡って切欠部を形成したので、洗浄ノズルからすすぎ領域側に噴射された洗浄水はこの切欠部より下方にそのまま落下するようになる。従って、洗浄ノズルから噴射された洗浄水がラックレールのレール面に当たって跳ね返り、すすぎ領域に飛び込む不都合を防止若しくは著しく低減することができるようになり、食器類への洗剤残りを防止若しくは低減させて仕上がりを著しく向上させることができるようになるものである。特に、切欠部はレール面に形成され、規制面には形成されないので、切欠部の形成によるラックレールの強度低下も最小限に抑えられると共に、切欠部においてもラックの両側は規制面により規制することができる。
【００３４】
請求項２の発明によれば、上記に加えて切欠部両端のレール面を、所定の傾斜角度で下方に折曲したので、異なる寸法のラックを使用した場合などに、切欠部においてラック端部が多少落ち込んでも、折曲部分にて元の高さに案内されるようになる。従って、ラックレールのレール面に切欠部を形成したことによるラックの落下や引っかかり事故を未然に防止することができるようになるものである。
【００３５】
請求項３の発明によれば、上記各発明に加えてラックレール端部に変形を阻止するための補強部材を設けたので、切欠部の形成によって強度が低下しているラックレールを有効に補強することができる。従って、ラックの当接などによるラックレールの変形を防止し、円滑のラック移送を実現することができるようになるものである。
【図面の簡単な説明】
【図１】  本発明の食器洗浄装置の縦断正面図である。
【図２】  本発明の食器洗浄装置の平断面図である。
【図３】  本発明の食器洗浄装置の洗浄室内の斜視図である。
【図４】  本発明の食器洗浄装置のラックレールの平面図である。
【図５】  本発明の食器洗浄装置のラックレールの側面図である。
【図６】  従来の食器洗浄装置の洗浄室内の斜視図である。
【図７】  従来の食器洗浄装置のラックレールの平面図である。
【図８】  従来の食器洗浄装置のラックレールの側面図である。
【符号の説明】
ＤＷ  食器洗浄装置
Ｄ  食器類
１  外装体
２  洗浄室
２Ｗ  洗浄領域
２Ｒ  すすぎ領域
５  ラック
１２  ラックレール
１３Ａ、１３Ｂ  上下洗浄ノズル
１４Ａ、１４Ｂ  上下すすぎノズル
２５  送り機構
３３  切欠部
３４  傾斜面
３６  補強部材
【図１】
0003653343.tif 000002
【図２】
0003653343.tif 000003
【図３】
0003653343.tif 000004
【図４】
0003653343.tif 000005
【図５】
0003653343.tif 000006
【図６】
0003653343.tif 000007
【図７】
0003653343.tif 000008
【図８】
0003653343.tif 000009